(57)【要約】【課題】  頭髪カバーをサンバイザー本体に強固に固定でき、サンバイザーを着脱する際に、そのたび毎に頭髪カバーをセットし直す必要がない便利な頭髪カバー付きサンバイザーを提供する。【解決手段】  鍔部とこの鍔部を取り付けるための帯状芯と前記帯状芯の外周に設けられたフックを有するサンバイザー本体と、外周に前記フックと結合するための弾性輪を形成した頭髪カバーとから構成され、帯状芯の外周にわたって弾性輪とフックとを結合させることにより頭髪カバーをサンバイザー本体に取り付けることを特徴とする。これにより、頭髪カバーがサンバイザー本体に強固に結合される。また、フックの先端に突起を形成することによって頭髪カバーをサンバイザー本体にさらに強固に結合することができる。【選択図】        図３
2008045235.tif 000002
【特許請求の範囲】
【請求項１】
鍔部と、この鍔部を取り付けるための帯状芯と、前記帯状芯の外周に設けられたフックを有するサンバイザー本体と、
外周に前記フックと結合するための弾性輪を形成した頭髪カバーと、
から構成され、
前記弾性輪を前記前記フックに結合することを特徴とする頭髪カバー付きサンバイザー。
【請求項２】
前記フックの先端に突起が形成されたことを特徴とする請求項１に記載の頭髪カバー付きサンバイザー。
【請求項３】
前記頭髪カバーの内面に結合手段によって取り付けられる収納部を備えたことを特徴とする請求項１に記載の頭髪カバー付きサンバイザー。
【請求項４】
前記頭髪カバーは防水性生地で形成されることを特徴とする請求項１に記載の頭髪カバー付きサンバイザー。
【発明の詳細な説明】
【技術分野】
【０００１】
本発明は、降雨時や強風時に頭髪を覆うことで頭髪を保護する頭髪カバーを着脱可能とした頭髪カバー付きサンバイザーに関する。
【背景技術】
【０００２】
図８は、本発明に関連する第１の従来例の、雨カバーを取り付け可能に構成したサンバイザーを説明する図である（特許文献１）。図８（Ａ）は平面図、図８（Ｂ）は側面図である。第１の従来例によれば、柔軟な材質により形成した頭部カバーとサンバイザー掛止手段を持つサンバイザー用雨カバーをサンバイザーのひさしに掛止するように着脱可能に形成する。頭部カバー５１は撥水加工した布や合成樹脂で形成することで雨を防止する。また、頭部カバー５１はゴム等の環状締材５２を用いてサンバイザー５５のベルト部５６の外周を締め付け固定するとともに、ひさしカバー５３の周縁に形成されたひさし締材５４によりひさし５７の上面を覆うようにひさし５７の外周に固定され、はずれ難いように構成される。
【０００３】
図９は、本発明に関連する第２の従来例の、降雨時等に頭髪を覆うための被覆部材を取り付けたサンバイザーを説明する図である（特許文献２）。図９（Ａ）はサンバイザーの構成、図９（Ｂ）は被覆部材でサンバイザーを被った状態を示す図である。これは、鍔部６１と帯状芯６２から形成されるサンバイザー６３の帯状芯６２の後部に被覆部６７を収納するカバー６４を設け、雨や強風等から頭髪を保護したいときには、上記カバー６４から被覆部６７を取り出して頭部全体を被覆し、その被覆部６７を帯状芯６２の外周に固定するようにしたものである。被覆部６７の一端は上記カバー６４の部分に固着されているので、カバー６４から取り出して頭部を被った後に被覆部６７の終端を帯状芯６２の外周に固定することで頭髪全体を被うことができる。
【特許文献１】実開平４−１１８４１８号公報
【特許文献２】特開平７−３２４２１５号公報
【発明の開示】
【発明が解決しようとする課題】
【０００４】
上記第１の従来例のサンバイザーは、雨カバーが頭部だけでなくひさし全体を覆う構造のため、雨カバーが大きくなり持ち運びに不便であるという欠点があった。また雨カバーはベルト部の外周にゴム等の弾性力のみで圧接固定する構造のため、雨カバーがはずれ易いという欠点もあった。特に、サンバイザーを脱いだ時にはずれ易く、サンバイザーをかぶるたびにいちいち雨カバーを取り付け直す必要があって不便であった。第２の従来例でも被覆部材をゴム等の弾性体で頭部の外周に固定する構造のため、第１の従来例と同じく被覆部材がはずれ易い欠点があった。一方、本発明は、頭髪カバーを強固に固定可能で、サンバイザーをかぶったり脱いだりしてもそのたびに頭髪カバーをセットし直す必要がない便利なサンバイザーを提供することを目的とする。
【課題を解決するための手段】
【０００５】
本発明の請求項１に記載の発明は、鍔部とこの鍔部を取り付けるための帯状芯と前記帯状芯の外周に設けられたフックとを有するサンバイザー本体と、外周に前記フックと結合するための弾性輪を形成した頭髪カバーとから構成され、前記弾性輪を前記前記フックに結合することを特徴とする。
【０００６】
本発明の請求項２に記載の発明は、フックの先端に突起が形成されたこと特徴とする。
【０００７】
本発明の請求項３に記載の発明は、頭髪カバーの内面に結合手段によって取り付けられる収納部を備えたことを特徴とする。
【０００８】
本発明の請求項４に記載の発明は、頭髪カバーは防水性生地で形成されることを特徴とする。
【発明の効果】
【０００９】
以上記載したように、請求項１に記載の頭髪カバー付きサンバイザーによれば、弾性輪とフック手段を用いて頭髪カバーとサンバイザー本体を結合する構造であるので、頭髪カバーがサンバイザー本体に強固に結合され、サンバイザーを脱いだ時でも頭髪カバーがサンバイザー本体からはずれ難く、サンバイザーをかぶり直したときでもいちいち頭髪カバーをつけ直す必要がなくて便利である。
【００１０】
請求項２に記載の頭髪カバー付きサンバイザーによれば、フックの先端に突起を形成したことによって、弾性輪がフックから外れにくくなり、頭髪カバーをサンバイザー本体にさらに強固に固定できる。
【００１１】
請求項３に記載の頭髪カバー付きサンバイザーによれば、頭髪カバーの内面に結合手段によって取り付けられる収納部を備えたことにより、暑い日にはこの収納部に保冷剤を収納することにより頭部を効果的に冷却し、逆に寒い時には発熱剤を収納することにより頭部を効果的に暖めることができる。なお、この収納部をタオル生地で形成すれば、保冷剤により頭髪が濡れることを防止でき、また発熱剤から頭皮を保護することもできる。
【００１２】
請求項４に記載の頭髪カバー付きサンバイザーによれば、頭髪カバーは防水性生地で形成されるので、降雨時でも頭髪が濡れるのを防止できる。
【発明を実施するための最良の形態】
【００１３】
図１は、本発明のサンバイザー本体１を斜上方から見た図である。図２は、サンバイザー本体１を側面から見た図である。図１、図２において、１０はサンバイザー本体１の帯状芯、１１はサンバイザーの鍔部、１２は帯状芯１０の外周に設けられた本発明の特徴であるフックである。１３は帯状芯１０の内周に形成された汗止め、１４は汗止めの上に形成されたすべり止めであり、両者とも利用者の額に直接接触する部分である。汗止め１３やすべり止め１４は必須の要素ではないが、実用上設けた方が望ましい部分である。
【００１４】
図３は、図１に示したＸ−Ｘ線でサンバイザー本体１を鉛直方向に切った側面部分断面図である。図３において、１５はフック１２の先端に形成された突起であり、後述のようにフック１２と結合した頭髪カバーの弾性輪２１が外れにくいように作用する。サンバイザー本体１の帯状芯１０の周囲にフック１２を設けた点が本発明の特徴である。このフック１２は帯状芯のほぼ全周にわたって設けるのが好適である。フック１２の材質は問わないが、重量や耐久性、経済性等を考慮すると、プラスチックを用いることが望ましい。なお、図３や図５では理解を容易にするためにフック１２の部分を厚く示しているが、実際にはより薄く作成するのでフックの部分がかさばることはない。
【００１５】
図４は、本発明の頭髪カバーをサンバイザー本体に取り付けた状態の概略構成を表す図である。図５は、図４において、頭髪カバー２をサンバイザー本体１に取り付ける部分の拡大断面図である。頭髪カバー２をサンバイザー本体１に取り付けるには、まず、頭髪カバー２の端部に設けられた弾性輪２１をフック１２の端部に形成された突起１５を通ってフック１２の内部の空隙１６に挿入する。このように、フック１２を外側から巻き込むようにして弾性輪２１を空隙１６に挿入することによって、弾性輪２１はフック１２の先端に設けた突起１５によってサンバイザー本体１に強固に固定される。また、サンバイザー本体１に設けたフック１２や頭髪カバー２に設けた弾性輪２１はサンバイザーの帯状芯１０のほぼ全周にわたって設けられるので、頭髪カバー２は帯状芯１０のほぼ全周にわたって帯状芯１０と結合され、非常に強固に固定される。従って、利用者がサンバイザーを脱いでも頭髪カバー２がサンバイザー本体１から外れることがなく、サンバイザーを被るたびにいちいち頭髪カバー２を付け付け直す必要がないため便利である。なお、利用者が頭髪カバー２をサンバイザー本体１から外したい場合には、頭髪カバー２を下に押すようにしながら弾性輪２１をフック１２から外せば、簡単に取り外すことができる。ここで、弾性輪２１の材質は問わないが、サンバイザー本体の帯状芯１０に取り付けられたフック１２と同様に、プラスチックを用いるのが好適である。これにより頭髪カバー２が雨に濡れても弾性輪２１が錆びることがないので耐久性を確保できるとともに、頭髪カバー２を何回でも洗濯することもできる。また、弾性輪２１はゴムで構成してもよい。
【００１６】
頭髪カバー２は撥水加工したような防水性の生地で形成することが望ましいが、降雨の少ない冬用にはボアーを使用することもでき、また、陽射しの強い日の暑さから頭皮を守るためや強風から髪のバラツキを防ぐためにメッシュ生地やムレ防止素材生地等も使用することができる。また、特に女性の場合には、ヘアースタイルを変えることがあるので、異なるサイズの頭髪カバー２を複数準備しておけば、どんなヘアースタイルに対しても頭髪にフィットさせることができる。つまり、本発明のサンバイザー本体１は頭髪カバー２を外付けすることが特徴なので、異なる生地や異なるサイズで作成した数種類の頭髪カバーを準備しておくことで、多様なヘアースタイルに対応することができる。また頭髪カバー２の外周の数か所に、いわゆるギャザーを設けておけば、頭部を覆った時に頭髪カバー２が型崩れしにくくなるため、頭髪の乱れを防ぐことができる。
【００１７】
図６は、収納部を備えた頭髪カバー２を下面方向から見た外観図である。図７は、頭髪カバー２を図６のＹ−Ｙ線で切断したときの縦断面図である。図６、７において、３０は頭髪カバー２の内側に取り付けられ、タオル生地等で形成される収納部である。収納部３０は、例えば、４隅に収納部を頭髪カバー２の内側に取り付けるための紐３１を有する。紐３１を頭髪カバー２の内側に取り付けられたボタン等の掛止具３２に引っ掛けることにより収納部３０を頭髪カバー２の内側に取り付けることができる。なお、紐３１と掛止具３２とを総称して結合手段という。もちろん、この掛止具はボタンに限定されず、ホックやマジックテープ（登録商標）等の他の手段を用いることもできる。要するに、収納部３０を頭髪カバー２に結合できれば掛止具の種類は問わない。
【００１８】
この収納部３０にはその内部に保冷剤等を挿入するための挿入口３３が設けられる。この挿入口３３には開閉用のボタンやホック等の係止具３４を取り付けることと便利である。係止具３４によって、サンバイザーの使用中に収納部３０の内部に収納した物がこぼれないように、挿入口３３を閉めておく。この収納部３０は着脱式なので、汚れた場合には収納部３０のみを取り外して洗濯することができる。
【００１９】
収納部３０の中には、例えば夏は保冷剤を入れて頭部を冷やすことができ、冬には発熱剤を入れて頭部を暖めることができる。このため、ポケットをタオル生地やガーゼで作成すると、保冷剤により生じた水滴を吸収して頭髪が濡れるのを防止でき、また発熱剤から頭皮を保護することができる。
【産業上の利用可能性】
【００２０】
本発明は、降雨時や強風時に頭髪を覆うための頭髪カバーを着脱可能に取り付けるサンバイザーとして用いることができる。
【図面の簡単な説明】
【００２１】
【図１】本発明のサンバイザー本体の構成を表す図である。
【図２】サンバイザー本体を側面から見た図である。
【図３】図１に示したＸ−Ｘ線でサンバイザー本体を鉛直方向に切った側面部分断面図である。
【図４】本発明の頭髪カバーをサンバイザー本体に取り付けた状態の概略構成を表す図である。
【図５】図４において、頭髪カバーをサンバイザー本体に取り付ける部分の拡大断面図である。
【図６】収納部を取り付けた頭髪カバーを下面方向から見た外観図である
【図７】図６に示したＹ−Ｙ線で頭髪カバーを鉛直方向に切った側面断面図である。
【図８】サンバイザーの第１の従来例である。
【図９】サンバイザーの第２の従来例である。
【符号の説明】
【００２２】
１  サンバイザー本体
２  頭髪カバー
１０  帯状芯
１１  鍔部
１２  フック
１３  汗止め
１４  滑り止め
１５  突起
１６  空隙
２１  弾性輪
３０  収納部
３１  紐
３２  掛止具
３３  挿入口
３４  掛止具
【図１】
2008045235.tif 000003
【図２】
2008045235.tif 000004
【図３】
2008045235.tif 000005
【図４】
2008045235.tif 000006
【図５】
2008045235.tif 000007
【図６】
2008045235.tif 000008
【図７】
2008045235.tif 000009
【図８】
2008045235.tif 000010
【図９】
2008045235.tif 000011
【手続補正書】
【提出日】平成18年10月31日(2006.10.31)
【手続補正１】
【補正対象書類名】特許請求の範囲
【補正対象項目名】全文
【補正方法】変更
【補正の内容】
【特許請求の範囲】
【請求項１】
鍔部と、この鍔部を取り付けるための帯状芯と、前記帯状芯の外周に設けられ、U字状板で形成され鍔部の方向に開口を有する空隙を有し、このU字状板の一片の内側面先端に突起が形成され、このU字状板の他片の外側面は前記帯状芯の外壁に沿って接着されたフックを有するサンバイザー本体と、
外周に前記フックと結合するための弾性輪を形成した頭髪カバーと、
から構成され、
前記弾性輪を前記鍔部の方向から前記フックの空隙に挿入することを特徴とする頭髪カバー付きサンバイザー。
【手続補正書】
【提出日】平成19年3月14日(2007.3.14)
【手続補正１】
【補正対象書類名】特許請求の範囲
【補正対象項目名】全文
【補正方法】変更
【補正の内容】
【特許請求の範囲】
【請求項１】
鍔部と、この鍔部を取り付けるための帯状芯と、前記帯状芯の外周に設けられたフックを有するサンバイザー本体と、
外周に前記フックと結合するための弾性輪を形成した頭髪カバーと、
から構成され、
前記フックは、鍔部の方向に開口を有する空隙を有し、この空隙を形成するフックの対向する２つの内側面の内前記帯状芯の外周に接する側と対向する内側面の先端部に突起が形成され、
前記弾性輪を前記鍔部の方向から前記フックの空隙に挿入することを特徴とする頭髪カバー付きサンバイザー。
【手続補正２】
【補正対象書類名】明細書
【補正対象項目名】０００５
【補正方法】変更
【補正の内容】
【０００５】
本発明の請求項１に記載の発明は、鍔部とこの鍔部を取り付けるための帯状芯と前記帯状芯の外周に設けられたフックを有するサンバイザー本体と、外周に前記フックと結合するための弾性輪を形成した頭髪カバーとから構成され、前記フックは、鍔部の方向に開口を有する空隙を有し、この空隙を形成するフックの対向する２つの内側面の内前記帯状芯の外周に接する側と対向する内側面の先端部に突起が形成され、前記弾性輪を前記鍔部の方向から前記フックの空隙に挿入することを特徴とする。
【手続補正３】
【補正対象書類名】明細書
【補正対象項目名】０００６
【補正方法】削除
【補正の内容】
【手続補正４】
【補正対象書類名】明細書
【補正対象項目名】０００７
【補正方法】削除
【補正の内容】
【手続補正５】
【補正対象書類名】明細書
【補正対象項目名】０００８
【補正方法】削除
【補正の内容】
【手続補正６】
【補正対象書類名】明細書
【補正対象項目名】０００９
【補正方法】変更
【補正の内容】
【０００９】
以上記載したように、請求項１に記載の頭髪カバー付きサンバイザーによれば、弾性輪とフック手段を用いて頭髪カバーとサンバイザー本体を結合する構造であるので、頭髪カバーがサンバイザー本体に強固に結合され、サンバイザーを脱いだ時でも頭髪カバーがサンバイザー本体からはずれ難く、サンバイザーをかぶり直したときでもいちいち頭髪カバーをつけ直す必要がなくて便利である。さらに、フックの先端に突起を形成したことによって、弾性輪がフックから外れにくくなり、頭髪カバーをサンバイザー本体にさらに強固に固定できる。
【手続補正７】
【補正対象書類名】明細書
【補正対象項目名】００１０
【補正方法】削除
【補正の内容】
【手続補正８】
【補正対象書類名】明細書
【補正対象項目名】００１１
【補正方法】削除
【補正の内容】
【手続補正９】
【補正対象書類名】明細書
【補正対象項目名】００１２
【補正方法】削除
【補正の内容】
【手続補正書】
【提出日】平成19年7月13日(2007.7.13)
【手続補正１】
【補正対象書類名】特許請求の範囲
【補正対象項目名】全文
【補正方法】変更
【補正の内容】
【特許請求の範囲】
【請求項１】
鍔部と、この鍔部を取り付けるための後部が開口した帯状芯と、前記帯状芯の外周に沿って固定されたフックを有するサンバイザー本体と、
外周に前記フックと結合するための弾性輪を形成した頭髪カバーと、
から構成され、
前記フックは、鍔部の方向に開口を有する空隙を有し、この空隙を形成するフックの対向する２つの内側面の内前記帯状芯の外周に接する側と対向する内側面の先端部に突起が形成され、
前記弾性輪を前記鍔部の方向から前記フックの空隙に挿入することを特徴とする頭髪カバー付きサンバイザー。
【手続補正２】
【補正対象書類名】明細書
【補正対象項目名】０００５
【補正方法】変更
【補正の内容】
【０００５】  本発明の請求項１に記載の発明は、鍔部とこの鍔部を取り付けるための後部が開口した帯状芯と前記帯状芯の外周に沿って固定されたフックを有するサンバイザー本体と、外周に前記フックと結合するための弾性輪を形成した頭髪カバーとから構成され、前記フックは、鍔部の方向に開口を有する空隙を有し、この空隙を形成するフックの対向する２つの内側面の内前記帯状芯の外周に接する側と対向する内側面の先端部に突起が形成され、前記弾性輪を前記鍔部の方向から前記フックの空隙に挿入することを特徴とする。
【手続補正３】
【補正対象書類名】明細書
【補正対象項目名】０００９
【補正方法】変更
【補正の内容】
【０００９】    以上記載したように、請求項１に記載の頭髪カバー付きサンバイザーによれば、弾性輪とフックを用いて頭髪カバーとサンバイザー本体を結合する構造であり、フックの先端の空隙中に突起を形成したことによって、弾性輪がフックから外れにくくなり、頭髪カバーをサンバイザー本体にさらに強固に固定できる。